(57)【要約】【課題】リレー伝送の際に、バックホールサブフレームをより最適にリソース分割してシステムのスループットを向上できる無線基地局装置、無線中継局装置及びリソース割り当て方法を提供すること。【解決手段】本発明の無線基地局装置は、バックホールサブフレーム数、移動端末装置数及び無線リンクの周波数利用効率に基づいて、バックホールサブフレームにおける周波数帯域幅を制御する周波数帯域幅制御手段と、前記周波数帯域幅制御手段により制御された周波数帯域幅でバックホールサブフレームを送信する送信手段と、を具備することを特徴とする。【選択図】図５
2011223104.tif 000002
【特許請求の範囲】
【請求項１】
バックホールサブフレーム数、移動端末装置数及び無線リンクの周波数利用効率に基づいて、バックホールサブフレームにおける周波数帯域幅を制御する周波数帯域幅制御手段と、前記周波数帯域幅制御手段により制御された周波数帯域幅でバックホールサブフレームを送信する送信手段と、を具備することを特徴とする無線基地局装置。
【請求項２】
前記周波数帯域幅制御手段は、下記式（１）にしたがって、バックホールサブフレームにおける無線中継局装置に割り当てるリソースブロックの比率（Ｘ）を算出することを特徴とする請求項１記載の無線基地局装置。
Ｘ＝（ｅＮＢからマクロＵＥまでのリンクの周波数利用効率×リレーＵＥ数）／｛（ｅＮＢからマクロＵＥまでのリンクの周波数利用効率×リレーＵＥ数）＋（ｅＮＢからＲＮまでのリンクの周波数利用効率×マクロＵＥ数）｝×（フレーム毎の総サブフレーム数／フレーム毎のバックホールサブフレーム数）                                式（１）
ここで、ｅＮＢは無線基地局装置を示し、マクロＵＥはｅＮＢ配下の移動端末装置を示し、リレーＵＥは無線中継局装置配下の移動端末装置を示し、ＲＮは無線中継局装置を示す。
【請求項３】
前記周波数帯域幅制御手段は、無線中継局装置におけるバッファ内のデータ量に応じたオフセットを用いてバックホールサブフレームにおける無線中継局装置に割り当てるリソースブロックの比率（Ｙ）を算出することを特徴とする請求項１又は請求項２記載の無線基地局装置。
【請求項４】
送信データを格納するバッファと、前記バッファ内のデータ量に基づいてリソース割り当て用のオフセットを制御するオフセット制御手段と、前記オフセットを無線基地局装置に送信する送信手段と、を具備することを特徴とする無線中継局装置。
【請求項５】
バックホールサブフレーム数、移動端末装置数及び無線リンクの周波数利用効率に基づいて、バックホールサブフレームにおける周波数帯域幅を制御する工程と、前記周波数帯域幅制御手段により制御された周波数帯域幅でバックホールサブフレームを送信する工程と、を具備することを特徴とするリソース割り当て方法。
【請求項６】
下記式（１）にしたがって、バックホールサブフレームにおける無線中継局装置に割り当てるリソースブロックの比率（Ｘ）を算出することを特徴とする請求項５記載のリソース割り当て方法。
Ｘ＝（ｅＮＢからマクロＵＥまでのリンクの周波数利用効率×リレーＵＥ数）／｛（ｅＮＢからマクロＵＥまでのリンクの周波数利用効率×リレーＵＥ数）＋（ｅＮＢからＲＮまでのリンクの周波数利用効率×マクロＵＥ数）｝×（フレーム毎の総サブフレーム数／フレーム毎のバックホールサブフレーム数）                                式（１）
ここで、ｅＮＢは無線基地局装置を示し、マクロＵＥはｅＮＢ配下の移動端末装置を示し、リレーＵＥは無線中継局装置配下の移動端末装置を示し、ＲＮは無線中継局装置を示す。
【請求項７】
無線中継局装置において、送信データを格納するバッファ内のデータ量に基づいてリソース割り当て用のオフセットを制御する工程と、前記オフセットを無線基地局装置に送信する工程と、バックホールサブフレーム数、移動端末装置数、無線リンクの周波数利用効率及び前記オフセットに基づいて、バックホールサブフレームにおける周波数帯域幅を制御する工程と、前記周波数帯域幅制御手段により制御された周波数帯域幅でバックホールサブフレームを送信する工程と、を具備することを特徴とするリソース割り当て方法。
【発明の詳細な説明】
【技術分野】
【０００１】
本発明は、ＬＴＥ−Ａ（Long  Term  Evolution-Advanced）システムにおいて、リレー伝送技術を利用する無線基地局装置、無線中継局装置及びリソース割り当て方法に関する。
【背景技術】
【０００２】
３ＧＰＰ（3rd  Generation  Partnership  Project）において、第３世代移動通信システムの発展規格であるＬＴＥ（Long  Term  Evolution）からのさらなる高速・大容量通信を実現する第４世代移動通信システムとして、ＬＴＥ−Advanced（ＬＴＥ−Ａ）の標準化が進められている。ＬＴＥ−Ａは、高速・大容量通信の実現に加え、セル端ユーザのスループット向上を重要課題としており、その一手段として、無線基地局装置〜移動端末装置間の無線伝送を中継するリレー技術が検討されている。リレーを用いることで、有線バックホールリンクの確保が困難な場所などで、効率的にカバレッジを拡大できることが期待される。
【０００３】
リレー技術においては、レイヤ１リレー、レイヤ２リレー、レイヤ３リレーがある。レイヤ1リレーは、ブースター、若しくはリピータとも呼ばれる中継技術であり、無線基地局装置からの下り受信ＲＦ信号を電力増幅して移動端末装置に送信するＡＦ（Amplifier  and  Forward）型中継技術である。移動端末装置からの上り受信ＲＦ信号も、同様に電力増幅して無線基地装置に送信される。レイヤ２リレーは、無線基地局装置からの下り受信ＲＦ信号を復調・復号後、再度符号化・変調を行い、移動端末装置に送信するＤＦ（Decode  and  Forward）型中継技術である。レイヤ３リレーは、無線基地局装置からの下り受信ＲＦ信号を復号後、復調・復号処理に加えて、ユーザデータを再生してから、再度無線でユーザデータ伝送を行うための処理（秘匿、ユーザデータ分割・結合処理など）を行い、符号化・変調後に移動端末装置に送信する中継技術である。現在３ＧＰＰにおいては、雑音除去による受信特性の向上、標準仕様検討、及び実装上の容易性の観点から、レイヤ３リレー技術について標準化が進められている。
【０００４】
図１は、レイヤ３リレーによる無線中継技術の概要を示す図である。レイヤ３リレーの無線中継局装置（ＲＮ）は、ユーザデータ再生処理、変復調、及び符号・復号処理を行うことに加え、無線基地局装置（ｅＮＢ）と異なる固有のセルＩＤ（ＰＣＩ：Physical  Cell  ID）を持つことを特徴とする。これにより、移動端末装置（ＵＥ）は、無線中継局装置が提供するセルＢを、無線基地局装置が提供するセルＡとは異なるセルとして認識する。また、ＣＱＩ（Channel  Quality  Indicator）、ＨＡＲＱ（Hybrid  Automatic  Repeat  reQuest）などの物理層の制御信号は、無線中継局装置で終端されるため、無線中継局装置は移動端末装置から見て、無線基地局装置として認識される。したがって、ＬＴＥの機能のみを有する移動端末装置も無線中継局装置に接続することができる。
【０００５】
また、無線基地局装置〜無線中継局装置間のバックホールリンク（Ｕｎ）、及び無線中継局装置〜移動端末装置間のアクセスリンク（Ｕｕ）は、異なる周波数若しくは同一の周波数で運用することが考えられ、後者の場合、無線中継局装置で送受信処理を同時に行うと、送受信回路内で十分なアイソレーションが確保できない限り、送信信号が無線中継局装置の受信機に回り込み、干渉を引き起こす。このため、図２に示すように、同一周波数（ｆ１）で運用する場合は、バックホールリンク及びアクセスリンクの無線リソース（ｅＮＢ送信とリレー送信）を時分割多重（ＴＤＭ：Time  Division  Multiplexing）し、無線中継局装置において送受信が同時に行われないよう制御する必要がある（非特許文献１）。このため、例えば、下りリンクでは、無線中継局装置は、無線基地局装置からの下り信号を受信している間、移動端末装置に対して下り信号を送信することはできない。
【先行技術文献】
【非特許文献】
【０００６】
【非特許文献１】３ＧＰＰ，ＴＲ３６．８１４
【発明の概要】
【発明が解決しようとする課題】
【０００７】
このようなレイヤ３リレーによる無線中継技術において、下りリンクのサブフレーム構成は図３に示すようになる。図３においては、放送型コンテンツの多数ユーザへの同時配信サービス（ＭＢＭＳ：Multimedia  Broadcast  Multicast  Service）を単一周波数ネットワークで提供するためのバックホール（ＭＢＳＦＮ：MBMS  over  a  Single  Frequency  Network）サブフレームと、ノーマルサブフレームとがある。
【０００８】
マクロｅＮＢ（無線基地局装置）からリレーノード（無線中継局装置）のバックホールリンクでは、バックホールサブフレームでデータ、制御信号及び参照信号（ＣＲＳ：Common  Reference  Signal）が送信される。この場合、データには、マクロｅＮＢからマクロＵＥ（ｅＮＢ配下の移動端末装置）へのデータ及びマクロｅＮＢからリレーノードへのデータが含まれる。一方、同時刻でのアクセスリンクでは、バックホールサブフレームで制御信号及び参照信号（ＣＲＳ）が送信されるが、上述したように、データは送信されない。
【０００９】
バックホールリンクにおいて、ノーマルサブフレームでは、マクロｅＮＢからマクロＵＥへのデータ、制御信号及び参照信号（ＣＲＳ）が送信され、アクセスリンクにおいて、ノーマルサブフレームでは、リレーノードからリレーＵＥ（リレーノード配下の移動端末装置）へのデータ、制御信号及び参照信号（ＣＲＳ）が送信される。
【００１０】
バックホールサブフレームにおける、最もシンプルなリソース割り当てとしては、リソースを分割せずに、リレーノードにのみ全てのリソースを割り当てることが考えられる。しかしながら、リレーノードへの送信データは、リレーＵＥ（無線中継局装置配下のＵＥ）数に比例するため、特にリレーＵＥ数が少ない場合には、全てのリソースをリレーノードに割り当てる必要はない。そのとき、一部のリソースをマクロＵＥに割当てることで、システム（セル）全体のスループットが増加することが期待できる。
【００１１】
本発明はかかる点に鑑みてなされたものであり、リレー伝送の際に、バックホールサブフレームをより最適にリソース分割してシステムのスループットを向上できる無線基地局装置、無線中継局装置及びリソース割り当て方法を提供することを目的とする。
【課題を解決するための手段】
【００１２】
本発明の無線基地局装置は、バックホールサブフレーム数、移動端末装置数及び無線リンクの周波数利用効率に基づいて、バックホールサブフレームにおける周波数帯域幅を制御する周波数帯域幅制御手段と、前記周波数帯域幅制御手段により制御された周波数帯域幅でバックホールサブフレームを送信する送信手段と、を具備することを特徴とする。
【００１３】
本発明の無線中継局装置は、送信データを格納するバッファと、前記バッファ内のデータ量に基づいてリソース割り当て用のオフセットを制御するオフセット制御手段と、前記オフセットを無線基地局装置に送信する送信手段と、を具備することを特徴とする。
【００１４】
本発明のリソース割り当て方法は、バックホールサブフレーム数、移動端末装置数及び無線リンクの周波数利用効率に基づいて、バックホールサブフレームにおける周波数帯域幅を制御する工程と、前記周波数帯域幅制御手段により制御された周波数帯域幅でバックホールサブフレームを送信する工程と、を具備することを特徴とする。
【発明の効果】
【００１５】
本発明のリソース割り当て方法は、バックホールサブフレーム数、移動端末装置数及び無線リンクの周波数利用効率に基づいて、バックホールサブフレームにおける周波数帯域幅を制御し、前記周波数帯域幅制御手段により制御された周波数帯域幅でバックホールサブフレームを送信するので、リレー伝送の際に、バックホールサブフレームをより最適にリソース分割してシステムのスループットを向上できる。
【図面の簡単な説明】
【００１６】
【図１】リレー伝送技術を説明するための図である。
【図２】バックホールリンク及びアクセスリンクの無線リソースを説明するための図である。
【図３】バックホールリンク及びアクセスリンクのサブフレーム構成を説明するための図である。
【図４】周波数利用効率と無線中継局装置への割り当てリソースブロックの比率の関係を説明するための図である。
【図５】本発明の実施の形態１に係る無線基地局装置の概略構成を示すブロック図である。
【図６】バッファ内のデータ量とオフセットの関係を説明するための図である。
【図７】本発明の実施の形態２に係る無線基地局装置の概略構成を示すブロック図である。
【図８】本発明の実施の形態２に係る無線中継局装置の概略構成を示すブロック図である。
【発明を実施するための形態】
【００１７】
以下、本発明の実施の形態について添付図面を参照して詳細に説明する。以下、ｅＮＢは無線基地局装置を示し、マクロＵＥはｅＮＢ配下の移動端末装置を示し、リレーＵＥは無線中継局装置配下の移動端末装置を示し、ＲＮは無線中継局装置を示す。
【００１８】
（実施の形態１）
本実施の形態においては、バックホールサブフレーム数、移動端末装置数及び無線リンクの周波数利用効率に基づいて、バックホールサブフレームにおける周波数帯域幅を制御する場合について説明する。ここで、周波数利用効率とは、（マクロｅＮＢ→マクロＵＥ）／（マクロｅＮＢ→リレーノード）リンクに適用したＭＣＳ（Modulation  and  Coding  Scheme）モードの周波数利用効率（ＳＥ:Spectral  Efficiency）を意味する。
【００１９】
本実施の形態のリソース割り当て方法においては、バックホールサブフレーム数、移動端末装置数及び無線リンクの周波数利用効率に基づいて、バックホールサブフレームにおける周波数帯域幅を制御し、このように制御された周波数帯域幅でバックホールサブフレームを送信する。この場合において、図４に示すように、ｅＮＢ→マクロＵＥリンクに比べて、ｅＮＢ→ＲＮリンクのＳＥ（品質）が良いときには、ＲＮに割り当てるＲＢ（Resource  Block）を少なくするように周波数帯域幅を制御する。
【００２０】
このように、ＭＣＳの周波数利用効率を考慮することにより、ｅＮＢ→ＲＮリンクの品質がより良い場合に、同じデータ量をより少ないＲＢで送信することができるため、リレーノードにリソースを必要以上に割当てることを防ぐことができる。これにより、マクロＵＥ（セル全体）のスループットを改善することができる。
【００２１】
図５は、本発明の実施の形態１に係る無線基地局装置の概略構成を示すブロック図である。図５に示す無線基地局装置は、送信部と、受信部とを備えている。ここでは、送信部側についてのみ説明する。
【００２２】
図５に示す無線基地局装置は、マクロＵＥ用の送信データのバッファ（１〜Ｎ１）１０１と、リレーノード用の送信データのバッファ（１〜Ｎ２）１０２と、スケジューラ１０３と、マクロＵＥ用の送信データ用のチャネル符号化部１０４と、リレーノード用の送信データ用のチャネル符号化部１０５と、マクロＵＥ用の送信データ用のデータ変調部１０６と、リレーノード用の送信データ用のデータ変調部１０７と、マクロＵＥ用の送信データ用のプリコーディング乗算部１０８と、リレーノード用の送信データ用のプリコーディング乗算部１０９と、サブキャリアマッピング部１１０と、マクロＵＥ用の送信データ用の参照信号多重部１１１と、リレーノード用の送信データ用の参照信号多重部１１２と、周波数帯域幅制御部１１３と、ＩＦＦＴ（Inverse  Fast  Fourier  Transform）部１１４と、ＣＰ（Cyclic  Prefix）付与部１１５と、ＲＦ回路１１６と、アンテナ（１〜Ｍ）１１７とから主に構成されている。
【００２３】
マクロＵＥ用の送信データのバッファ（１〜Ｎ１）１０１は、マクロＵＥに送信するデータを格納する。リレーノード用の送信データのバッファ（１〜Ｎ２）１０２は、リレーノードに送信するデータを格納する。
【００２４】
スケジューラ１０３は、マクロＵＥ用の送信データのバッファ（１〜Ｎ１）１０１に格納されたマクロＵＥに送信するデータ及びリレーノード用の送信データのバッファ（１〜Ｎ２）１０２に格納されたリレーノードに送信するデータをスケジューリングする。スケジューラ１０３は、周波数帯域幅制御部１１３で制御された周波数帯域幅でマクロＵＥに送信するデータ及びリレーノードに送信するデータをスケジューリングする。周波数帯域幅制御部１１３での制御については後述する。
【００２５】
マクロＵＥ用の送信データ用のチャネル符号化部１０４は、マクロＵＥ用の送信データをチャネル符号化する。チャネル符号化部１０４は、チャネル符号化後のデータをデータ変調部１０６に出力する。リレーノード用の送信データ用のチャネル符号化部１０５は、リレーノード用の送信データをチャネル符号化する。チャネル符号化部１０５は、チャネル符号化後のデータをデータ変調部１０７に出力する。
【００２６】
マクロＵＥ用の送信データ用のデータ変調部１０６は、チャネル符号化後のデータを変調する。データ変調部１０６は、データ変調後のデータをプリコーディング乗算部１０８に出力する。リレーノード用の送信データ用のデータ変調部１０７は、チャネル符号化後のデータを変調する。データ変調部１０７は、データ変調後のデータをプリコーディング乗算部１０９に出力する。
【００２７】
マクロＵＥ用の送信データ用のプリコーディング乗算部１０８は、データ変調後のデータにプリコーディングウエイトを乗算する。プリコーディング乗算部１０８は、プリコーディングウエイトを乗算後のデータをサブキャリアマッピング部１１０に出力する。リレーノード用の送信データ用のプリコーディング乗算部１０９は、データ変調後のデータにプリコーディングウエイトを乗算する。プリコーディング乗算部１０９は、プリコーディングウエイトを乗算後のデータをサブキャリアマッピング部１１０に出力する。
【００２８】
サブキャリアマッピング部１１０は、周波数領域の信号をリソース割り当て情報に基づき、サブキャリアにマッピングする。サブキャリアマッピング部１１０は、マッピングされたマクロＵＥ用のデータを参照信号多重部１１１に出力すると共に、マッピングされたリレーノード用のデータを参照信号多重部１１２に出力する。
【００２９】
参照信号多重部１１１は、マクロＵＥ用のデータに参照信号を多重する。参照信号多重部１１１は、参照信号を多重したデータをＩＦＦＴ部１１４に出力する。参照信号多重部１１２は、リレーノード用のデータに参照信号を多重する。参照信号多重部１１２は、参照信号を多重したデータをＩＦＦＴ部１１４に出力する。
【００３０】
ＩＦＦＴ部１１４は、参照信号が多重された信号をＩＦＦＴして時間領域の信号に変換する。ＩＦＦＴ部１１４は、ＩＦＦＴ後の信号をＣＰ付与部１１５に出力する。ＣＰ付与部１１５は、ＩＦＦＴ後の信号にＣＰを付与する。ＣＰ付与部１１５は、ＣＰを付与した信号をＲＦ回路１１６に出力する。ＲＦ回路１１６は、ＣＰを付与した信号に所定のＲＦ処理を施して、アンテナ（１〜Ｍ）１１７からマクロＵＥ及び／又はリレーノードに送信する。
【００３１】
周波数帯域幅制御部１１３は、バックホールサブフレーム数、加入者（マクロＵＥ、リレーＵＥ）数及び無線リンク（マクロｅＮＢ→マクロＵＥ、マクロｅＮＢ→リレーノード）の周波数利用効率に基づいて、マクロＵＥ／リレーノード用の周波数帯域幅を制御する。この場合においては、図４に示すように、ｅＮＢ→マクロＵＥリンクに比べて、ｅＮＢ→ＲＮリンクのＳＥ（品質）が良いときには、ＲＮに割り当てるＲＢ（Resource  Block）を少なくするように周波数帯域幅を制御する。周波数帯域幅制御部１１３は、周波数帯域幅の情報（例えば、ＲＮに割り当てるＲＢ）をリソース割り当て情報として、スケジューラ１０３及びサブキャリアマッピング部１１０に出力する。
【００３２】
具体的には、周波数帯域幅制御部１１３は、下記式（１）にしたがって、バックホールサブフレームにおけるＲＮに割り当てるＲＢの比率（Ｘ）を算出する。
Ｘ＝（ｅＮＢからマクロＵＥまでのリンクの周波数利用効率×リレーＵＥ数）／｛（ｅＮＢからマクロＵＥまでのリンクの周波数利用効率×リレーＵＥ数）＋（ｅＮＢからＲＮまでのリンクの周波数利用効率×マクロＵＥ数）｝×（フレーム毎の総サブフレーム数／フレーム毎のバックホールサブフレーム数）                                式（１）
【００３３】
このように本実施の形態に係るリソース割り当て方法においては、バックホールサブフレーム数、移動端末装置数及び無線リンクの周波数利用効率に基づいて、バックホールサブフレームにおける周波数帯域幅を制御し、このように制御された周波数帯域幅でバックホールサブフレームを送信する。これにより、ＲＮにリソースを必要以上に割当てることを防ぐことができ、マクロＵＥ（セル全体）のスループットを改善することができる。
【００３４】
（実施の形態２）
本実施の形態においては、バックホールサブフレーム数、移動端末装置数、無線リンクの周波数利用効率及び無線中継局装置のバッファ内のデータ量に基づくリソース割り当て用のオフセットにより、バックホールサブフレームにおける周波数帯域幅を制御する場合について説明する。ここで、周波数利用効率とは、（マクロｅＮＢ→マクロＵＥ）／（マクロｅＮＢ→リレーノード）リンクに適用したＭＣＳ（Modulation  and  Coding  Scheme）モードの周波数利用効率（ＳＥ:Spectral  Efficiency）を意味する。
【００３５】
バックホールサブフレームにおいて、マクロｅＮＢからリレーノードに送信されたデータは、一旦リレーノードのトラフィック・バッファにキューされ、ノーマルサブフレームにおいて、リレーノードからリレーＵＥに送信される。そこで、本実施の形態においては、リレーノードのトラフィック・バッファ内のデータ量を考慮して、下記式（２）により、バックホールサブフレームにおけるリレーノードに割り当てたＲＢの比率（Ｙ）を決定する。
Ｙ＝上記式（１）により算出された比率（Ｘ）＋オフセット            式（２）
【００３６】
なお、この場合においては、下記式（３）により算出された比率にオフセットを付加して比率（Ｙ）を求めても良い。
｛リレーＵＥ数／（リレーＵＥ数＋マクロＵＥ数）｝×（フレーム毎の総サブフレーム数／フレーム毎のバックホールサブフレーム数）                          式（３）
【００３７】
すなわち、本実施の形態のリソース割り当て方法においては、無線中継局装置において、送信データを格納するバッファ内のデータ量に基づいてリソース割り当て用のオフセットを制御し、オフセットを無線基地局装置に送信し、バックホールサブフレーム数、移動端末装置数、無線リンクの周波数利用効率及びオフセットに基づいて、バックホールサブフレームにおける周波数帯域幅を制御し、このように制御された周波数帯域幅でバックホールサブフレームを送信する。
【００３８】
ここで、オフセットの制御においては、図６に示すように、リレーノードのトラフィック・バッファ内のデータが多いときには、マイナス値のオフセットを設定し、リレーノードのトラフィック・バッファ内のデータが少なく、リレーノード→リレーＵＥリンクにおいてデータのないＲＢが存在するときは、プラス値のオフセットを設定する。
【００３９】
本実施の形態においては、まず、無線基地局装置が無線中継局装置に対して、ＲＲＣ（Radio  Resource  Control）などのHigher-layer  signalingにより、オフセットを付加するリソース割り当て手法を通知する。そして、無線中継局装置は、通知された手法に基づいて、オフセットの計算を行う。そして、無線中継局装置が、無線基地局装置に対して、ＲＲＣなどHigher-layer  signaling（又は物理リンクsignaling）により、オフセット（Δ）を通知する。
【００４０】
このように、リレーノードのトラフィック・バッファ内のデータ量を考慮することで、より最適にリソースを割り当てることが可能となる。これにより、マクロＵＥ（セル全体）のスループットを改善することができる。
【００４１】
図７は、本発明の実施の形態２に係る無線基地局装置の概略構成を示すブロック図である。図７において、図５と同じ部分については図５と同じ符号を付してその詳細な説明は省略する。図７に示す無線基地局装置は、送信部と、受信部とを備えている。ここでは、送信部側についてのみ示す。
【００４２】
周波数帯域幅制御部１１３は、リレーノードにおけるバッファ内のデータ量に応じたオフセットを用いてバックホールサブフレームにおけるリレーノードに割り当てるＲＢの比率（Ｙ）を算出する。すなわち、周波数帯域幅制御部１１３は、バックホールサブフレーム数、加入者（マクロＵＥ、リレーＵＥ）数、無線リンク（マクロｅＮＢ→マクロＵＥ、マクロｅＮＢ→リレーノード）の周波数利用効率及びオフセット（無線中継局装置から通知されたオフセット）に基づいて、マクロＵＥ／リレーノード用の周波数帯域幅を制御する。周波数帯域幅制御部１１３は、周波数帯域幅の情報（例えば、ＲＮに割り当てるＲＢ）をリソース割り当て情報として、スケジューラ１０３及びサブキャリアマッピング部１１０に出力する。
【００４３】
具体的には、周波数帯域幅制御部１１３は、下記式（２）にしたがって、バックホールサブフレームにおけるＲＮに割り当てるＲＢの比率（Ｙ）を算出する。
Ｙ＝上記式（１）により算出された比率（Ｘ）＋オフセット            式（２）
【００４４】
図８は、本発明の実施の形態２に係る無線中継局装置の概略構成を示すブロック図である。図８に示す無線中継局装置は、送信部と、受信部とを備えている。
【００４５】
図８に示す無線中継局装置の受信部は、アンテナ（１〜Ｍ）２０１と、デュプレクサ２０２と、ＲＦ受信回路２０３と、受信タイミング推定部２０４と、ＦＦＴ（Fast  Fourier  Transform）部２０５と、チャネル推定部２０６と、データチャネル信号検出部２０７と、チャネル復号部２０８とを有する。
【００４６】
ＲＦ受信回路２０３は、マクロｅＮＢからの下りリンク信号をＲＦ受信処理する。ＲＦ受信回路２０３は、ＲＦ受信処理後の信号をＦＦＴ部２０５及び受信タイミング推定部２０４に出力する。受信タイミング推定部２０４は、ＲＦ受信処理後の信号を用いて受信タイミングを推定し、その推定値をＦＦＴ部２０５に出力する。
【００４７】
ＦＦＴ部２０５は、受信タイミングの推定値を用いて、受信信号にＦＦＴ処理を行う。ＦＦＴ部２０５は、ＦＦＴ後の信号をデータチャネル信号検出部２０７に出力する。またＦＦＴ後の参照信号は、チャネル推定部２０６に送られる。チャネル推定部２０６は、参照信号を用いてチャネル推定し、そのチャネル推定値をデータチャネル信号検出部２０７に出力する。
【００４８】
データチャネル信号検出部２０７は、チャネル推定値を用いて、データチャネル信号を検出する。データチャネル信号検出部２０７は、このデータチャネル信号をチャネル復号部２０８に出力する。チャネル復号部２０８は、データチャネル信号を復号し、バッファ（１〜Ｎ３）２０９に出力する。このようにして、リレーノードからリレーＵＥに送信するデータがバッファ２０９に格納される。
【００４９】
図８に示す無線中継局装置の送信部は、バッファ（１〜Ｎ３）２０９と、スケジューラ２１０と、チャネル符号化部２１１と、データ変調部２１２と、プリコーディング乗算部２１３と、サブキャリアマッピング部２１４と、参照信号多重部２１５と、ＩＦＦＴ部２１６と、ＣＰ付与部２１７と、ＲＦ回路２１８と、アンテナ（１〜Ｍ）２０１と、オフセット制御部２１９とから主に構成されている。
【００５０】
バッファ（１〜Ｎ１）２０９は、リレーＵＥに送信するデータを格納する。スケジューラ２１０は、バッファ（１〜Ｎ１）２０９に格納されたリレーＵＥに送信するデータをスケジューリングする。チャネル符号化部２１１は、送信データをチャネル符号化する。チャネル符号化部２１１は、チャネル符号化後のデータをデータ変調部２１２に出力する。
【００５１】
データ変調部２１２は、チャネル符号化後のデータを変調する。データ変調部２１２は、データ変調後のデータをプリコーディング乗算部２１３に出力する。プリコーディング乗算部２１３は、データ変調後のデータにプリコーディングウエイトを乗算する。プリコーディング乗算部２１３は、プリコーディングウエイトを乗算後のデータをサブキャリアマッピング部２１４に出力する。
【００５２】
サブキャリアマッピング部２１４は、周波数領域の信号をリソース割り当て情報に基づき、サブキャリアにマッピングする。サブキャリアマッピング部２１４は、マッピングされた参照信号多重部２１５に出力する。参照信号多重部２１５は、データに参照信号を多重する。参照信号多重部２１５は、参照信号を多重したデータをＩＦＦＴ部２１６に出力する。
【００５３】
ＩＦＦＴ部２１６は、参照信号が多重された信号をＩＦＦＴして時間領域の信号に変換する。ＩＦＦＴ部２１６は、ＩＦＦＴ後の信号をＣＰ付与部２１７に出力する。ＣＰ付与部２１７３は、ＩＦＦＴ後の信号にＣＰを付与する。ＣＰ付与部２１７は、ＣＰを付与した信号をＲＦ回路２１８に出力する。ＲＦ回路２１８は、ＣＰを付与した信号に所定のＲＦ処理を施して、アンテナ（１〜Ｍ）２０１からリレーＵＥに送信する。
【００５４】
オフセット制御部２１９は、送信データを格納するバッファ内のデータ量に基づいてリソース割り当て用のオフセットを制御する。この場合において、オフセット制御部２１９は、図６に示すように、リレーノードのトラフィック・バッファ内のデータが多いときには、マイナス値のオフセットを設定し、リレーノードのトラフィック・バッファ内のデータが少なく、リレーノード→リレーＵＥリンクにおいてデータのないＲＢが存在するときは、プラス値のオフセットを設定する。このオフセットは、リレーノードが、ｅＮＢに対して、ＲＲＣなどHigher-layer  signaling（又は物理リンクsignaling）により通知する。
【００５５】
このような構成においては、まず、ｅＮＢがリレーノードに対して、ＲＲＣなどのHigher-layer  signalingにより、オフセットを付加するリソース割り当て手法を通知する。そして、リレーノードは、通知された手法に基づいて、バッファ内のデータ量に基づいてオフセットの計算を行う。次いで、リレーノードは、このオフセットをｅＮＢに送信する。次いで、ｅＮＢにおいて、バックホールサブフレーム数、移動端末装置数、無線リンクの周波数利用効率及びオフセットに基づいて、バックホールサブフレームにおける周波数帯域幅を制御し、このように制御された周波数帯域幅でバックホールサブフレームを送信する。これにより、リレーノードのトラフィック・バッファ内のデータ量を考慮することで、より最適にリソースを割り当てることができるので、マクロＵＥ（セル全体）のスループットを改善することができる。
【００５６】
今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味及び範囲内での全ての変更が含まれることが意図される。
【産業上の利用可能性】
【００５７】
本発明は、ＬＴＥ−Ａシステムの無線基地局装置、無線中継局装置及リソース割り当て方法に有用である。
【符号の説明】
【００５８】
１０１，１０２，２０９  バッファ
１０３，２１０  スケジューラ
１０４，１０５，２１１  チャネル符号化部
１０６，１０７，２１２  データ変調部
１０８，１０９，２１３  プリコーディング乗算部
１１０，２１４  サブキャリアマッピング部
１１１，１１２，２１５  参照信号多重部
１１３  周波数帯域幅制御部
１１４，２１６  ＩＦＦＴ部
１１５，２１７  ＣＰ付与部
１１６，２１８  ＲＦ回路
１１７，２０１  アンテナ
２０２  デュプレクサ
２０３  ＲＦ受信回路
２０４  受信タイミング推定部
２０５  ＦＦＴ部
２０６  チャネル推定部
２０７  データチャネル信号検出部
２０８  チャネル復号部
２１９  オフセット制御部
【図１】
2011223104.tif 000003
【図２】
2011223104.tif 000004
【図３】
2011223104.tif 000005
【図４】
2011223104.tif 000006
【図５】
2011223104.tif 000007
【図６】
2011223104.tif 000008
【図７】
2011223104.tif 000009
【図８】
2011223104.tif 000010